(57)【要約】本発明の実施例は、複数の領域マーカ用の方法、システム及び装置を具えている。【選択図】図１
2009515199.tif 000002
【特許請求の範囲】
【請求項１】
ａ）表示器と
ｂ）上記表示器に表示され、測定データ記録内の第１データ・セットに基づく第１視覚表現と、
ｃ）上記表示器に表示され、上記測定データ記録内の第２データ・セットに基づく第２視覚表現と、
ｄ）上記第１視覚表現に関連した第１視覚表現表示マーカと、
ｅ）上記第２視覚表現に関連した第２視覚表現表示マーカと、
ｆ）上記第１視覚表現表示マーカが上記第１視覚表現内で第１位置に配置され、上記第１位置に対応する上記測定データ記録内のデータが上記第２データ・セット内であるときに、上記第２視覚表現内の上記第２視覚表現表示マーカの表示を実行するマーカ相関器と
を具えた表示装置。
【請求項２】
複数の領域位置変数を有するマーカ構成を更に具える請求項１の装置。
【請求項３】
上記測定データ記録用のストレージを更に具える請求項１の装置。
【請求項４】
ａ）第１範囲指標及び第１領域指標を表示する第１視覚表現マーカ・リードアウトと、
ｂ）第２範囲指標及び第２領域指標を表示する第２視覚表現マーカ・リードアウトと
を更に具えた請求項１の装置。
【請求項５】
上記第１位置に対応する上記第１データ・セット内の上記データが上記第２データ・セット内でないとき、マーカ無効指示が上記第２視覚表現内に表示される請求項１の装置。
【請求項６】
上記第１視覚表現が第１領域内で、第２視覚表現が第２領域内である請求項１の装置。
【請求項７】
上記第２視覚表現表示マーカが上記第１視覚表現内で第２位置に配置され、上記第２位置に対応する上記測定データ記録内の上記データが上記第１データ・セット内であるとき、上記マーカ相関器が上記第１視覚表現内の上記第１視覚表現表示マーカの表示を実行する請求項１の装置。
【請求項８】
上記第１視覚表現表示マーカが上記第１視覚表現内の第１表示位置から上記第１視覚表現内の第２表示位置に移動し、上記第２表示位置に対応する上記測定データ記録内のデータが上記第２データ・セット内のとき、上記マーカ相関器が、上記第２視覚表現内の上記第２視覚表現表示マーカの相関表示を実行する請求項１の装置。
【請求項９】
上記第２視覚表現表示マーカが上記第２視覚表現内の第１表示位置から上記第２視覚表現内の第２表示位置に移動し、上記第２表示位置に対応する上記測定データ記録内のデータが上記第１データ・セット内のとき、上記マーカ相関器が、上記第１視覚表現内の上記第１視覚表現表示マーカの相関表示を実行する請求項１の装置。
【請求項１０】
ａ）測定データ記録内の第１データ・セットに基づいた第１視覚表現を表示器上に表示することと、
ｂ）上記測定データ記録内の第２データ・セットに基づいた第２視覚表現を表示器上に表示することと、
ｃ）上記第１視覚表現に関連した第１視覚表現表示マーカの位置を受けることと、
ｄ）上記第２視覚表現に関連した第２視覚表現表示マーカの相関位置を決定することとを具え、
ｅ）上記決定は、上記第１視覚表現表示マーカの上記位置に対応する上記測定記録内のデータを上記第２データ・セット内のデータと比較することと
を具える表示方法。
【請求項１１】
複数の領域位置変数を具えるマーカ構成を更に具える請求項１０の方法。
【請求項１２】
ａ）第１範囲指標及び第１領域指標を表示する第１視覚表現マーカ・リードアウトを表示することと、
ｂ）第２範囲指標及び第２領域指標を表示する第２視覚表現マーカ・リードアウトを表示することと
を更に具えた請求項１０の装置。
【請求項１３】
上記第１位置に対応する上記第１データ・セット内の上記データが上記第２データ・セット内でないとき、マーカ無効指示が上記第２視覚表現内に表示される請求項１０の方法。
【請求項１４】
上記第１視覚表現が第１領域内で、第２視覚表現が第２領域内である請求項１０の方法。
【請求項１５】
ａ）上記第２視覚表現に関連した第２視覚表現表示マーカの位置を受けることと、
ｂ）上記第１視覚表現に関連した第１視覚表現表示マーカの相関位置を決定することとを更に具え、
ｃ）上記決定することは、上記第２視覚表現表示マーカの上記位置に対応する上記測定記録内の上記データを上記第１データ・セット内の上記データと比較すること
である請求項１０の方法。
【請求項１６】
上記第１視覚表現表示マーカが上記第１視覚表現内の第１表示位置から上記第１視覚表現内の第２表示位置に移動し、上記第２表示位置に対応する上記測定データ記録内のデータが上記第２データ・セット内のとき、上記第２視覚表現内の上記第２視覚表現表示マーカの相関表示の位置を決定することを更に具える請求項１０の方法。
【請求項１７】
上記第２視覚表現表示マーカが上記第２視覚表現内の第１表示位置から上記第２視覚表現内の第２表示位置に移動し、上記第２表示位置に対応する上記測定データ記録内のデータが上記第１データ・セット内のとき、上記マーカ相関器が、上記第１視覚表現内の上記第１視覚表現表示マーカの相関表示の位置を決定する請求項１０の方法。
【請求項１８】
ａ）表示器と、
ｂ）測定データ記録を蓄積するストレージ媒体と、
ｃ）上記表示器に表示され、スペクトログラムである第１視覚表現と、
ｄ）上記表示器に表示され、第１時間フレームに基づいた周波数領域視覚表現である第２視覚表現と、
ｅ）上記表示器に表示され、時間領域視覚表現である第３視覚表現と、
ｆ）第１視覚表現表示マーカが上記第１視覚表現内にて配置位置に配置されたとき、上記第２視覚表現内にて配置周波数にて第２視覚表現表示マーカの表示と、配置時間フレームに対応する第１時点にて上記第３視覚表現内に第３視覚表現表示マーカの表示とを実行するマーカ相関器と具え、
上記配置位置が上記配置周波数及び上記配置時間フレームを具えている表示装置。
【請求項１９】
周波数変数及び時間変数を具えるマーカ構成を更に具える請求項１８の装置。
【請求項２０】
ａ）第１範囲指標及び第１領域指標を表示する第１視覚表示マーカ・リードアウトと、
ｂ）第２範囲指標及び第２領域指標を表示する第２視覚表示マーカ・リードアウトと、
ｃ）第３範囲指標及び第３領域指標を表示する第３視覚表示マーカ・リードアウトと
を更に具えた請求項１８の装置。
【請求項２１】
上記第２視覚表現を上記配置時間フレームに対応するスライスとなるように更新することと、上記配置周波数にて上記更新された第２視覚表現に上記第２視覚表現マーカを表示することとを更に具えた請求項１８の装置。
【請求項２２】
測定機器のデータを管理する方法であって、
ａ）マーカ識別子（ＩＤ）で識別され、第１データ・セットに関連した第１領域値及び第２データ・セットに関連した第２領域値を具えたマーカ定義を受けることと、
ｂ）第１データ・セットをアクセスすると共に、上記第１領域値に関連した第１範囲値を見つけることと、
ｃ）第２データ・セットをアクセスすると共に、上記第２領域値に関連した第２範囲値を見つけることと、
ｄ）上記マーカＩＤを介して上記第１範囲位置にアクセスを行うことと、
ｅ）上記マーカＩＤを介して上記第２範囲位置にアクセスを行うことと
を具えた方法。
【請求項２３】
ａ）新たな第１領域値を具えるユーザ入力を受けることと、
ｂ）上記第１データ・セットをアクセスすると共に、上記新たな第１領域値に関連した新たな第１範囲値を見つけることと、
ｃ）上記マーカＩＤにより上記新たな第１範囲値にアクセスを行うことと
を更に具えた請求項２２の方法。
【発明の詳細な説明】
【関連参照】
【０００１】
本願は、２００５年１１月４日に出願した米国仮特許出願第６０／７３４０１５号「グローバル複数領域相関マーカ」の利益を主張する。
【発明の分野】
【０００２】
本発明の実施例は、複数領域マーカ用の方法、システム及び装置を具える。
【背景】
【０００３】
複数の測定データ・セットを入力データに関連させて蓄積させてもよい。典型的な測定データ・セットは、周波数領域測定データ・セット、時間領域測定データ・セット、変調分析測定データ・セット、スペクトログラム測定データ・セット又はコードグラム測定データ・セットを含んでいる。
【概要】
【０００４】
本発明のいくつかの実施例は、測定表示装置上に複数の視覚表現での相関表示マーカを表示する方法、システム及び装置を具えている。
【０００５】
本発明のいくつかの実施例は、マーカ構成を具えており、このマーカ構成は、複数の領域属性を有してもよい。本発明のいくつかの実施例において、マーカ相関器がマーカ構成を用いて、マーカ表示を管理してもよい。
【０００６】
添付図を参照した本発明の以下の詳細説明を考察することにより、本発明の上述及びその他の目的、特徴及び利点が一層容易に理解できよう。
【例示的実施例の詳細な説明】
【０００７】
添付図を参照することにより、本発明の実施例を最もよく理解できよう。なお、類似要素は、類似の番号で示す。添付図は、この詳細説明の一部に特に組み込まれている。
【０００８】
一般的に説明し図示したように、本発明の要素は、異なる構成の広い範囲にわたって配置でき設計できることが容易に理解できよう。よって、本発明の方法、システム及び装置の実施例に関する以下のより詳細な説明は、本発明の範囲を制限するものではなく、本発明の目下の好適実施例を単に示すものである。
【０００９】
本発明の実施例の要素は、ハードウェア、ファームウェア及び／又はソフトウェアで実現してもよい。ここに示す例示的実施例は、これら形式の１つのみで説明してもよいが、本発明の範囲内にてこれら形式の任意のものにてこれら要素を実現できることが当業者には理解できよう。
【００１０】
例えば、オシロスコープ、ロジック・アナライザ、スペクトラム・アナライザ又はコンピュータ・モニタの表示装置は、１つ以上のデータ記録について計算された測定に関する複数の視覚表現を表示してもよい。例示的な視覚表現は、周波数領域表現、時間呂行き視覚表現、変調分析視覚表現、スペクトログラム視覚表現、コードグラム視覚表現、及びその他の視覚表現を具えてもよい。
【００１１】
視覚表現は、１組の領域値及び対応する範囲値の波形トレース、グラフ、プロット、又は他の視覚表現でもよい。視覚表現に関連した測定データは、表示器、測定機器又はオフ測定機器のデータ・ストレージ・メディアに蓄積してもよく、これらは、常駐又は遠隔計算装置でもよい。スペクトログラムを具えた視覚表現にとって、視覚表現に関連した測定データは、各対の領域値用の範囲値を具えてもよく、一方の領域が時間であり、他方が周波数である。また、範囲値は、時間値により指示された時間スライス内の周波数値により指示された周波数での振幅を表す。
【００１２】
表示マーカを波形トレース又は他の視覚表現に沿って配置又は移動して、視覚表現のポイントを視覚的に識別してもよい。表示マーカを用いて、視覚表現上でマークされたポイントが表す領域値及び範囲値のリードアウトを抽出してもよい。機器又は表示器のユーザが、又は自動処理が、表示マーカを視覚表現上に配置してもよい。表示マーカが配置されたポイントが表す領域値及び範囲値のマーカ・リードアウトを装置の表示器に表示してもよい。ユーザ又は自動処理により、視覚表現に沿って表示マーカを引くか又は視覚表現に沿って移動させてもよい。マーカ・リードアウトは、表示マーカ変化の位置として更新してもよい。
【００１３】
例えば、図１に示す電圧対時間視覚表現において、位置１２における波形１０上に配置された表示マーカにより（５マイクロ秒（μsec）、５ボルト）のリードアウトとなり、位置１４における波形１０上に配置されたマーカは、（２μ秒、０ボルト）のリードアウトとなってもよい。
【００１４】
本発明のいくつかの実施例は、表示マーカに関連したマーカ構成を具えてもよい。図１に示す例では、表示マーカに関連したマーカ構成は、表示マーカが位置１２に表示されたときに、時間５マクロ秒に対応する時間領域値を含んでもよい。この時間領域値は、絶対時間基準でもよいし、又は、時間値に対応するインデックス値でもよい。表示マーカが位置１４にあると、マーカ構成は、時間値２マイクロ秒に対応する時間領域指標を含んでもよい。
【００１５】
本発明のいくつかの実施例において、表示マーカに関係なく、マーカ構成が存在してもよい。
【００１６】
マーカ構成は、各々が異なる領域に対応する複数の位置の値を具えてもよい。マーカ構成は、時間領域マーカ構成、周波数領域マーカ構成、又は複数領域マーカ構成でもよい。例示的な複数領域マーカ構成は、時間領域に対応する位置の値、及び周波数領域に対応する位置の値を具えてもよい。
【００１７】
複数領域マーカ構成は、複数領域における関心のある領域位置を示すための複数の位置の値を具えてもよい。本発明のいくつかの実施例において、複数のマーカ構成は、マーカ構成がサポートすべき複数領域の各々を明確に定義する必要があるかもしれない。本発明の別の実施例において、複数領域のマーカにて表示されない領域を有する測定データ・セットが表示又は処理のセッションでアクセスされると、複数領域のマーカ構成は、適応的に領域サポートを追加してもよい。例えば、時間領域視覚表現が初めから表示されると、複数領域のマーカ構成は、時間領域の属性を持つかもしれない。ユーザが、異なる領域、例えば、周波数領域にて他の測定を表示すると、複数領域のマーカ構成は、周波数領域の属性を追加してもよい。
【００１８】
マーカ表示処理又は他の処理が、領域及び範囲の値データを回収するために領域データを用いて、測定データをアクセスして、視覚表現上に表示マーカを表示するか、又はそのデータを使用又は処理する。別の実施例において、マーカ表示処理又は別の処理からの質問に応じて、マーカ構成は、測定データに直接的にアクセスし、要求された領域及び範囲の値データをマーカ表示処理又は他の処理に報告する。
【００１９】
なお別の実施例において、マーカ構成は、表示処理又は表示に関連しない別の処理に、処理からの質問がなく、領域及び範囲の値データを交付又はレポートするが、表示に関連しない別の処理は、計算処理、レポート処理、アーカイブ処理、取込み処理又は測定に基づく処理の如きものである。
【００２０】
複数の視覚表現が表示されると、第１視覚表現における表示マーカの位置は、相関位置での他の視覚表現内での表示マーカの表示となる。ユーザ又は自動制御処理のいずれかにより表示マーカに配置、移動、ドラッグ、又は他の操作が行われる視覚表現は、配置視覚表現と呼んでもよい。表示マーカが視覚表現内で操作されたときに、別の視覚表現が位置視覚表現になり、次に、他の視覚表現が別の視覚表現になる。本発明のいくつかの実施例において、ポインティング・デバイス、一連のキーボードの操作、又は他の入力装置を用いて、表示マーカを操作してもよい。
【００２１】
本発明のいくつかの実施例において、マーカ相関器を用いて、複数の視覚表現内の相関した表示マーカの表示を管理してもよい。表示マーカが移動したとき又は位置視覚表現内に配置されたときに、別の視覚表現内の相関した表示マーカの表示を管理してもよい。本発明のいくつかの実施例において、マーカ相関器は、表示マーカに関連したリードアウトを管理してもよい。マーカ相関器は、位置視覚表現又は別の視覚表現において、表示マーカの外見、例えば、色、サイズ、アイコンの形式、又は他の物理的表示属性を管理してもよい。
【００２２】
本発明のいくつかの実施例において、マーカ相関器は、ソフトウェア、ハードウェア、ファームウェア、又はソフトウェア、ハードウェア及びファームウェアの組合せにて実現してもよい。本発明のいくつかの実施例において、マーカ相関器は、単一の位置に物理的に常駐してもよいし又はその位置で実行されてもよいし、測定及び表示システム内のコンポーネントに沿って分布してもよい。
【００２３】
本発明のいくつかの実施例において、マーカ相関器は、複数の領域属性を伴う単一のマーカ構成を用いて、相関した表示マーカの表示を管理してもよい。
【００２４】
本発明のいくつかの実施例において、位置視覚表現を考慮して、第１視覚表現内の表示マーカの位置は、マーカ相関器の管理又は指示の下に、各視覚表現の下にあるデータが重なったときのみ、第２又は別の視覚表現内の対応相関表示マーカの表示となる。
【００２５】
図示の目的で、０ＭＨｚから４ＭＨｚの周波数範囲のデータ・サンプルの１０マイクロ秒から成り下にあるデータ記録に基づいた測定の２つの視覚表現を示す図２Ａを考察する。第１視覚表現２０において、データ記録内のデータの全体のセットに基づいて電圧対時間を示す。第２視覚表現２２において、パワー対周波数を示す。ここで、データ記録内の最初の１マイクロ秒のデータを用いて、パワー対周波数波形を作成する。
【００２６】
本発明のいくつかの実施例は、図２Ｂを参照して説明できる。これら実施例において、表示マーカが任意の周波数位置、例えば、第２視覚表現２２内の位置２４に配置されたとき、マーカ相関器は、第１視覚表現２０内の０マイクロ秒から１マイクロ秒の時間範囲内の任意の位置に表示される対応相関表示マーカを誘導してもよい。なお、この時間範囲は、第２視覚表現２２内の任意の周波数に対応する下のデータ範囲である。
【００２７】
この例において、表示マーカが視覚表現内で操作されるので、第２視覚表現２２を位置視覚表現と呼んでもよい。相関表示マーカを含んだ他の対応視覚表現を別の視覚表現と呼んでもよい。本発明のいくつかの実施例において、位置のインターバル又は範囲内の任意の位置にて相関表示マーカが表示されるとき、マーカ相関器が用いた配置規則に応じて、相関表示マーカを表示してもよい。この配置規則は、ディフォルトの規則、ユーザ／観察者が選択した規則、視覚表現の領域に基づいた規則、視覚表現の範囲に基づいた規則、又は他の好ましい又は適応する規則でもよい。本発明のいくつかの実施例において、この配置規則は、対応する相関表示マーカが第１視覚表現２０内の下側のデータ範囲の位置２５の下限に対応する位置にて、別の視覚表現２０に配置されるものであってもよい。別の実施例において、配置規則は、別の視覚表現２０内の表示マーカが、第１視覚表現２０内の下側のデータ範囲の位置２６の上限に対応する位置に配置するものであってもよい。さらに別の実施例において、配置規則は、マーカ相関器が、下側のデータ範囲の位置２７の中心値である別の視覚表現２０内の表示マーカの位置を指示するものであってもよい。
【００２８】
マーカ相関器が用いる表現の定義によれば、図２Ｃの位置２５で示すように、表示マーカは、決まった位置で単一のシンボル２８として現れてもよい。別の実施例において、マーカ相関器が用いるインターバル表現の定義は、図２Ｄに示すように、表示マーカが１対のシンボル２９、線、又は全体の範囲を定義する他の図形として現れてもよい。表現の定義は、ディフォルト定義、ユーザ／観察者が選択した定義、視覚表現の領域に基づいた定義、視覚表現の範囲に基づいた定義、又は任意の他の予め定めた又は適応的に定めた定義でもよい。
【００２９】
第２視覚表現２２内の周波数が対応するデータ記録内の下側のデータは、第１視覚表現２０内に示された０マイクロ秒から１マイクロ秒の時間データである。したがって、任意の位置での第２視覚表現２２内の表示マーカの配置又は操作により、後述の如く対応データ範囲内で任意の位置にて第１視覚表現２０内の対応し相関した表示マーカの表示又は移動となってもよい。
【００３０】
本発明のいくつかの実施例において、位置視覚表現内の表示マーカの移動は、別の視覚表現内の対応し相関する表示マーカの移動にはならなくてもよい。第２視覚表現２２内の表示マーカの動きは、例えば、図２Ａにおける第１視覚表現２０内の対応表示マーカの移動にならなくてもよい。これは、第２視覚表現２２内の任意の周波数が同じ下側の時間データに対応するためである。位置視覚表現の下側のデータが別の視覚表現の下側のデータと１対１で対応しないとき、位置視覚表現内の表示マーカの移動が別の視覚表現内の相関表示マーカの移動を要求せず、また、別の視覚表現内に現在表示されている表示マーカの位置が新たな配置位置により支持される。図２Ａの例において、第１視覚表現２０内の表示マーカが第２視覚表現２２用の下側のデータの範囲の外に移動するまで、第１視覚表現２０内の表示マーカの移動は、第２視覚表現２２内の対応マーカの移動とならなくてもよい。
【００３１】
本発明のいくつかの実施例において、表示マーカが複数の視覚表現内に表示され、且つ、別の視覚表現内で重なっていない下側のデータに対する位置視覚表現内の位置に表示マーカが移動すると、マーカ相関器は、別の視覚表現内の対応し相関した表示マーカの表示の除去を実行する。相関した表示マーカの除去は、マーカ相関器が用いた除去規則に応じて行ってもよい。除去規則は、ディフォルト規則、ユーザ／観察者の選択した規則、視覚表現の領域に基づく規則、視覚表現の範囲に基づく規則、又は任意の他の予め定めた又は適応する規則でもよい。除去規則は、別の表示内の表示マーカが表示されないようにするものでもよい。除去規則は、別の表示内の表示マーカを、除去規則に応じた別の態様、例えば、反転ビデオ、強調、別の色、又は別の形で表示してもよい。いくつかの実施例において、表示マーカの外見の変化又は除去に関してのメッセージ又は他の指示を表示してもよい。このメッセージ又は他の指示は、表示マーカ・リードアウトのエリア又は表示の他のエリア内でもよい。いくつかの実施例において、メッセージ又は他の指示の位置をマーカ相関器が制御してもよい。
【００３２】
図２Ａ〜図２Ｄに示した例において、第１視覚表現２０内で図２Ｅに示すように、表示マーカが位置２５から位置３０に移動すれば、第２視覚表現内の位置２４にあった相関表示マーカがもはや表示されなくなるか、又はその外観が変化する。これは、位置３０（７．５マイクロ秒）に対応する時間が、第２視覚表現２２が発生する下側のデータ内にないためである。表示マーカが、第１視覚表現２０内の位置３０から位置３１に移動すると、第２視覚表現２２内の対応し相関する表示マーカが第２視覚表現２２内に再び現れる。本発明のいくつかの実施例において、表示マーカが視覚表現内に再び現れるとき、表示マーカの最初の出現用の配置規則によって、例えば、上述の配置規則の任意のものによって、表示マーカがマーカ相関器の指示の下に配置されてもよいし、又は、別の実施例において、マーカ相関器の制御の下に、視覚表現内の最後の位置、この例では、第２視覚表現２２内の位置２４に表示マーカが現れてもよい。
【００３３】
本発明のいくつかの実施例において、マーカ相関器の制御下で、視覚表現内の表示マーカのその後の移動により、他の代わりの視覚表現における対応する相関した表示マーカの動きを対応させる。
【００３４】
本発明のいくつかの実施例において、マーカ相関器が複数の視覚表現内の複数の表示マーカを制御してもよい。ここで、視覚表現のいくつかは、同じ領域内である。これら実施例において、任意の視覚表現、位置視覚表現にて表示マーカを配置し又は操作してもよい。データ記録内の下側のデータの重なりに応じて、マーカ相関器が別の視覚表現の任意の対応相関表示マーカの表示を管理してもよい。
【００３５】
例えば、図３は、データ記録３４を示し、ここでは、４つの視覚表現が基本になっている。第１視覚表現は、データ記録３４の０マイクロ秒から１０マイクロ秒までの時間範囲内のデータ３５に基づく時間領域視覚表現でもよい。第２視覚表現は、データ記録３４の３０マイクロ秒から６０マイクロ秒までの時間範囲内のデータ３６に基づく時間領域視覚表現でもよい。第３視覚表現は、データ記録３４の０マイクロ秒から５０マイクロ秒までの時間範囲内のデータ３７に基づく時間領域視覚表現でもよい。第４視覚表現は、データ記録３４の０マイクロ秒から７０マイクロ秒までの時間範囲内のデータ３８に基づく時間領域視覚表現でもよい。
【００３６】
この例において、位置視覚表現と呼ばれる第１視覚表現内のどこかに表示マーカが配置されたり又は移動したりした場合、第１視覚表現用のデータ３５が第３及び第４視覚表現３７及び３８と夫々重なることにより、第３視覚表現及び第４視覚表現の如き別の視覚表現内でマーカ相関器が指示したように、対応する相関表示マーカを表示してもよい。配置視覚表現と呼ばれる第２視覚表現内のどこかに表示マーカが配置されたり又は移動したりした場合、第４視覚表現用のデータ３８が第２視覚表現３６と重なることにより、第３及び第４の別の視覚表現内でマーカ相関器が指示したように、対応する相関表示マーカを表示してもよい。しかし、第２視覚表現内の表示マーカが３０マイクロ秒及び５０マイクロ秒の範囲内に配置されたり移動されたりした場合、第３の別の視覚表現内に対応相関表示マーカを出現させてもよい。これは、この範囲において、下側のデータ範囲は、両方の視覚表現に共通のためである。
【００３７】
本発明のいくつかの実施例において、２つの視覚表現に関連した下側のデータ領域がバラバラになったときに、第２視覚表現内の表示マーカに対応する第１視覚表現内の表示マーカの表示をマーカ相関器が制限してもよい。図３に示す例の場合、第１視覚表現３５及び第２視覚表現３６に関連しバラバラになった下側のデータ領域のために、第１視覚表現内の表示マーカは、第２視覚表現内の対応相関表示マーカを表示しなくてもよい。いくつかの実施例において、下側のデータの重なりがないときの視覚表現内の表示マーカ用のリードアウトは、重なりがないことを指示してもよい。この指示は、リードアウト領域又は他の表示領域内でもよい。いくつかの実施例において、指示の視覚的表示の外観は、マーカ相関器が決めてもよい。いくつかの実施例において、指示が表示された領域は、マーカ相関器により決まる。
【００３８】
本発明のいくつかの実施例において、マーカ相関器は、複数の表示マーカを管理してもよい。これら複数の表示マーカは、第１領域を有する第１視覚表現での表示マーカ、第２領域を有する第２視覚表現での表示マーカ、第１領域に対応する軸と第２領域に対応する軸を有する第３視覚表現での表示マーカである。この例示的な場合は、時間領域視覚表現、周波数領域視覚表現、及びスペクトログラム視覚表現である。この例示的場合に関連してこれら実施例を説明するが、この例が限定されるものでないことに留意されたい。
【００３９】
図４Ａは、３つの視覚表現を示す。第１視覚表現４０は、ｘ軸４１上の周波数とｙ軸４２条の時間を示すスペクトログラム視覚表現である。スペクトログラムの各スライスは、時間領域データの１フレームから計算された単一の周波数スペクトルに対応する。例えば、ライン４３に沿ったスライスは、周波数領域視覚表現４５内に４７で示してもよく、５１及び５２により指示される時間の間の時間領域視覚表現５０にて示すデータの時間フレームに対応してもよい。表示マーカ４４をスペクトログラム４０内に配置すると、マーカ相関器の管理の下に、対応周波数における周波数スペクトル４７での周波数領域視覚表現４５内にて、対応相関表示マーカ４６が現れるかもしれない。時間領域視覚表現５０内で５１及び５２により指示する時間の間の任意の時点で、対応し相関した表示マーカ５３が現れるかもしれず、これらは、周波数領域視覚表現４５内に示す周波数スペクトル４７を下にする時間データの制限である。配置規則に従って、表示マーカ５３を配置してもよいので、表示マーカは、図２Ａ〜２Ｅに関連して上述したように、フレームの中心に配置されるか、又は、マーカ相関器が用いる配置規則に従って、値の範囲のある他の位置に配置される。
【００４０】
いくつかの実施例において、図４Ｂに示すように、表示マーカ４８が、周波数領域視覚表現４５内の示すスライス４７に対応するライン４３の外に表示マーカ４８が配置されると、配置視覚表現４０内の表示マーカ４８に対応する周波数にて周波数領域視覚表現４５内に、対応表示マーカ４９の表示をマーカ相関器が実行してもよい。いくつかの実施例において、マーカ相関器は、付随した指示をマーカ４９に導入してもよい。この指示は、例えば、反転ビデオ、強調、半透明、着色、テキスト表示、又は任意の他の視覚又はオーディオ指示である。表示マーカ４９に関連した時間属性は、この別の視覚表現である周波数視覚表現４５に対して一貫しない（即ち、スペクトログラム４０内の表示マーカにて下側の時間フレームは、周波数次元視覚表現４５にて表されるものではない）。いくつかの実施例において、付随する指示は、マーカ相関器が用いた規則又は定義により定義される。別の実施例において、マーカ相関器によれば、周波数領域視覚表現４５内に相関表示マーカが表示されないかもしれない。配置された表示マーカ４８が存在するスライス５７をサポートする５５及び５６の間の間隔の例において、マーカ相関器が用いる位置規則に従って、下側の時間データに対応する時間間隔に表示マーカ５４を配置してもよい。
【００４１】
別の実施例において、図４Ｃに示すように、周波数領域視覚表現４５内に示すスライスに対応するライン４３の外に表示マーカ４８が配置されると、マーカ相関器は、周波数領域視覚表現４５の更新に影響して、配置された表示マーカ４８が位置するスライス５７に対応するスペクトル５９を示す。マーカ相関器により、対応し相関した表示マーカを位置５８に配置してもよい。
【００４２】
いくつかの実施例において、周波数領域視覚表現４５内の表示マーカの移動により、マーカ相関器により管理されるように、別の視覚表現であるスペクトログラム４０内の対応相関表示マーカが、その位置にて、ライン５７の対応周波数に更新する。例えば、図４Ｄに示すように、周波数領域視覚表現４５内の位置５８から位置６３への表示マーカの移動により、別のスペクトログラム視覚表現４０内の対応相関表示マーカが位置４８から位置６６に移動する。スライスが生じる下側の時間データが変化しないので、別の時間領域視覚表現４０内の対応相関表示マーカが同じ位置５４に留まってもよい。
【００４３】
いくつかの実施例において、時間領域視覚表現５０での表示マーカの移動により、マーカ相関器を用い、別のスペクトログラム視覚表現４０内の対応相関マーカが対応時間位置に移動する。例えば、時間領域視覚表現５０における位置５４から位置６０への時間領域マーカの移動により、別のスペクトログラム視覚表現４０内の対応相関表示マーカが位置４８から位置６１に移動してもよい。いくつかの実施例において、マーカ相関器は、周波数領域視覚表現４５内で変化を起こさない作用をしてもよい。別の実施例において、スペクトログラム４０内のマーカの結果としての移動により、図４Ｅに示す如く、対応周波数位置での新たな波形６５上に表示された相関表示マーカ６４を伴うライン６２に対応する新たなスペクトル６５の周波数領域視覚表現４５内での表示をマーカ相関器が実行する。
【００４４】
本発明のいくつかの実施例において、マーカ構成は、複数領域の１つに夫々対応する複数の領域変数を有してもよい。領域変数を設定又は変化させる例示的な方法は、マーカ・インタフェース内のマーカ値テーブル内の関連したセルに値をタイプするユーザと、領域値を設定するソフトウェア処理と、表示マーカを視覚表現に又はその中で引っ張るユーザと、当業界で知られている任意の他の方法とを含む。マーカ値検索処理は、測定データ・セットにアクセスして、マーカ構成に蓄積された領域値に最も近い領域値を伴う測定データ・ポイントを見つけてもよい。マーカ値検索処理は、測定データ・セットにアクセスして、マーカ構成に蓄積された領域値に最も近い領域値に関係した範囲値を得てもよい。マーカ値検索処理は、値を必要とする任意の処理に、領域及び範囲の値をレポートするか又は渡す。例示的処理は、自動テスト・システムに用いる表示処理、リードアウト処理、外部処理、デバイス処理、又は当業者に既知の任意の他の処理を含んでもよい。マーカ値検索処理は、マーカ構成内に蓄積された適切な領域値を用いて、複数の測定データ・セット内の範囲値を検索してもよい。
【００４５】
本発明のいくつかの実施例において、機器上で活性化された総てのマーカは、複数領域のマーカ構成を用いて、マーカ相関器が管理し相関表示できるマーカである。別の実施例において、マーカは、複数領域のマーカ構成を用いて、マーカ相関器が管理し、別の視覚表現にて相関表示できるマーカとして特に指示してもよい。
【００４６】
本発明のいくつかの実施例において、複数のマーカが存在してもよく、各々は、測定装置が発生した総ての視覚表現の独立及び従属の軸領域の用の属性を有する。
【００４７】
図５を参照して、本発明のいくつかの実施例を説明できる。これら実施例は、第１データ・セット領域値７１及び第１データ・セット範囲値７２を具えてもよい第１データ・セット７０に関連してもよい。第１データ・セット７０は、１つ以上の領域値７１を１つ以上の対応する範囲値７２に関連させてもよい。測定データ・セットは、一連のメモリ位置、配列、データ・ファイル、データベース・ファイル又は任意の他のメモリ又はストレージ入力として存在してもよい。これら実施例は、第２データ・セット７４にも関連し、この第２データ・セット７４は、第２データ・セット領域値７５及び第２データ・セット範囲値７６を具えてもよい。第２データ・セット７４は、１つ以上の対応範囲値７６を伴う１つ以上の領域値７５に関連してもよい。
【００４８】
これら実施例のいくつかは、第１視覚表示８０を更に具えてもよく、この第１視覚表示は、第１視覚表現８１を具えてもよい。第１視覚表示８０は、また、第１視覚マーカ・アイコン８２及び第１視覚マーカ・リードアウト８３を具えてもよい。いくつかの実施例は、第２視覚表示８０も具えてもよく、この第２視覚表示は、第２視覚表現８１を具えてもよい。第２視覚表示８０は、第２視覚マーカ・アイコン８２及び第２視覚マーカ・リードアウト８３も具えてもよい。
【００４９】
本発明のいくつかの実施例は、マーカ値テーブル８９を具えてもよい。このテーブルは、領域値９０及び９１に関連した範囲値９２及び９３に沿ってマーカに割り当てられた領域値９０及び９１でもよい。マーカ値テーブルは、表示、蓄積データの形式又はいくつかの他の形式をとってもよく、その他の形式は、
第１データ・セット７０及び第２データ・セット７４の如き１つ以上のデータ・セットから対応範囲値９２及び９３に関連するマーカ領域値９０及び９１を示すものである。
【００５０】
これら実施例は、マーカ１の定義７８の如きマーカ定義を具えてもよい。マーカ定義は、第１領域値９４及び第２領域値９５の如き１つ以上の領域値を具えてもよい。これら領域値は、ユーザ入力又は自動化方法により設定してもよい。領域値入力は、両閾値の直接タイプ、図形ユーザ・インタフェース（ＧＵＩ）によるポインティング・デバイスを介しての入力、データ選択処理又は他の選択処理により自動化入力を具えてもよい。いくつかの実施例において、表示されたマーカ値テーブル８９は、領域又は範囲の値９０、９１、９２及び９３のユーザ入力を準備するものでもよい。いくつかの実施例において、視覚表示８０又は８４内の視覚マーカ・アイコン８２又は８６を操作することにより、ユーザは、値を入力してもよい。
【００５１】
これら実施例は、また、マーカの表示、出力、ストレージ、連携及び入力を管理するマーカ・マネージャー８８を具えてもよい。マーカ・マネージャー８８は、作成用の入力及びマーカ定義７８の変更を受信してもよい。マーカ・マネージャー８８は、データ・セット７０又は７４をアクセスしてもよく、また、マーカ定義７８内の領域又は範囲の値９４、９５に関連した任意の領域値７１、７５又は範囲値７２、７６を見つけてもよい。次に、これら値をマーカ値テーブル８９に蓄積及び／又は表示してもよい。
【００５２】
いくつかの実施例において、マーカ・マネージャー８８は、マーカ定義値９４を受信又は検出してもよいし、対応データ・セット７０内の関連値を見つけてもよい７３。つぎに、これら値は、視覚表示８０、表示されたマーカ値テーブル９０及び９２、表示されたマーカ・リードアウト８３又はいくつかの他の表示要素の如き視覚表示８０にて、表示してもよい。データ・セットを介して、マーカ定義値及びこれに関連した値を視覚マーカ・アイコン８２及び８６として表示してもよい。マーカ・マネージャー８８は、マーカ定義９４及び９５を蓄積し、他の処理に出力してもよい。
【００５３】
本発明のいくつかの実施例において、マーカ定義は、複数領域からの複数の値９４及び９５を具えてもよい。例えば、第１領域値９４は、時間領域を表してもよく、第２領域値９５は、周波数領域値を表してもよい。これら値９４及び９５は、マーカ定義のコンテキストの外で必然的に相関される必要がない。単なる相関は、マーカ定義自体でもよい。いくつかの実施例において、数学的関係又はいくつかの他の関係により、マーカ定義値を相関させてもよい。いくつかの実施例において、第２データ・セット７４は、第１データ・セット７０の変換なので、第１データ・セット７０からの１つのマーカ定義値９４は、第２データ・セット７４からの第２マーカ定義値９５に関連してもよい。
【００５４】
いくつかの実施例において、マーカ定義７８が作成されると、ユーザ入力によりマーカ定義値９４又は９５を変更してもよい。マーカ値テーブル８９への文字の直接入力であり表示されたマーカ・リードアウト８３、８７によって、又は、マーカ定義の変更用のいくつかの他のメカニズムによって、ユーザは、マーカ定義値９４、９５を変更してもよい。いくつかの実施例において、視覚マーカ・アイコン８２、８６の操作によって、マーカ定義値９４、９５を変更してもよい。これら実施例において、ＧＵＩシステムを介してポインティング・デバイスにより、ユーザが視覚マーカ・アイコン８２、８６を移動させてもよい。視覚データ表現８１、８５に沿ってマーカ・アイコン８２、８６をドラッグするので、ユーザがマーカ・アイコン８２、８６を配置した位置に対応する値に、マーカ定義値９４、９５を自動的に更新できる。
【００５５】
マーカ定義値９４、９５を変更するとき、マーカ・マネージャー８８は、関連したデータ・セット７０、７４をアクセスし、新たなマーカ定義値９４、９５に関連した任意の領域又は範囲を見つけてもよい。関連したデータ・セット７０内の値に直接的に対応しない値にマーカ定義値９４、９５を変更するとき、マーカ定義値９４、９５に最も近い値を用いて、関連した領域又は範囲の値を見つけてもよい。いくつかの実施例において、データ・セット７０、７４内の値を補間して、複数のデータ・ポイントの間の値を見積もってもよい。変更されたマーカ定義値９４、９５と関連した領域又は範囲の値７３、７７が見つかると、マーカ・マネージャー８８がこれら新たな値を他の処理に送ってもよい。新たなマーカ定義値９４、９５を表示処理に送って、視覚マーカ・アイコン８２、８６、視覚マーカ・リードアウト８３、８７、マーカ値テーブル８９又は他の視覚表現を更新してもよい。これら新たな値を蓄積し、及び／又は、他のモジュール、機器又は装置の如き非表示関連処理に送ってもよい。
【００５６】
本発明のいくつかの実施例において、マーカが測定結果と独立して存在してもよい。マーカは、独立した軸属性を有してもよいが、独立した軸属性を計算するためのデータを下にしないで従属的な軸値がなくなる。
【００５７】
上述の明細書に述べた例は、複数の視覚表現の下になったデータ・セットの間の測定データ記録内の種々の関係を示している。これら関係は、例を示すためである。下になったデータ・セットの関係に制限がない。例えば、下になったデータ・セットは、全体的なデータ記録又はデータ記録の任意の部分を具えてもよい。２つの下になったデータ・セットは、全体的に重なるか、部分的に重なるか、又はバラバラになってもよい。ある下になったデータ・セットは、他の下になったデータ・セット内に全体的に含まれてもよい。
【００５８】
上述の明細書での例は、説明目的のために特定領域内であり、かかる領域の利用が別の領域を除外することを意図したものではない。視覚表現の数には制限がない。複数の視覚表現内の領域の数、混合又は分布に制限はない。上述の明細所内の例における視覚表現の任意の数、領域の数、領域の混合、又は領域の分布は説明のためのみであり、これらの例が別の組合せを除外することを意図するものではない。
【００５９】
上述の明細書内で用いた用語及び説明は、説明のためであり、限定するものではない。また、かかる用語及び説明が、図示し説明した特徴又はその一部との均等を除外する意図もない。本発明の範囲は、特許請求の範囲のみによって定義され限定されることが理解できよう。
【図面の簡単な説明】
【００６０】
【図１】図１は、波形及び複数のマーカ位置を示す図である。
【図２Ａ】図２Ａは、２つの視覚表現である時間領域視覚表現及び周波数領域視覚表現を示す図である。
【図２Ｂ】図２Ｂは、本発明の実施例を示す図であり、周波数領域視覚表現内のマーカを時間領域視覚表現内の任意の位置に配置でき、時間データは、周波数スペクトルの計算に応じたものである。
【図２Ｃ】図２Ｃは、本発明の実施例を示す図であり、マーカが単一のシンボルである。
【図２Ｄ】図２Ｄは、本発明の実施例を示す図であり、マーカが１対のシンボルである。
【図２Ｅ】図２Ｅは、本発明の実施例を示す図であり、１つのしかくひょうげん内のマーカ位置が代わりの視覚表現内の対応マーカ位置を有さないかもしれない。
【図３】図３は、複数の視覚表現を維持するデータ記録内のデータに応じた図である。
【図４Ａ】図４Ａは、周波数領域視覚表現、時間領域視覚表現及びスペクトログラム視覚表現を具えた本発明の実施例を示す図である。
【図４Ｂ】図４Ｂは、スペクトログラム視覚表現内のマーカ周波数配置のみに基づく周波数領域視覚表現内のマーカ位置を更新することを具える本発明の実施例を示す図である。
【図４Ｃ】図４Ｃは、スペクトログラム視覚表現内のマーカ周波数配置に基づく周波数領域視覚表現内のマーカ位置及び周波数領域視覚表現を更新することを具える本発明の実施例を示す図である。
【図４Ｄ】図４Ｄは、スペクトログラム視覚表現内のマーカ配置に基づく周波数領域視覚表現内のマーカ配置を具えた本発明の実施例を示す図である。
【図４Ｅ】図４Ｅは、時間領域視覚表現内のマーカ配置に基づくスペクトログラム視覚表現内のマーカ配置を具えた本発明の実施例を示す図である。
【図５】図５は、マーカ・マネージメントを具えた本発明の実施例を示す図である。
【図１】
2009515199.tif 000003
【図２Ａ】
2009515199.tif 000004
【図２Ｂ】
2009515199.tif 000005
【図２Ｄ】
2009515199.tif 000006
【図２Ｅ】
2009515199.tif 000007
【図３】
2009515199.tif 000008
【図４Ａ】
2009515199.tif 000009
【図４Ｂ】
2009515199.tif 000010
【図４Ｃ】
2009515199.tif 000011
【図４Ｄ】
2009515199.tif 000012
【図４Ｅ】
2009515199.tif 000013
【図５】
2009515199.tif 000014
【図２Ｃ】
2009515199.tif 000015
【手続補正書】
【提出日】平成21年2月2日(2009.2.2)
【手続補正１】
【補正対象書類名】特許請求の範囲
【補正対象項目名】全文
【補正方法】変更
【補正の内容】
【特許請求の範囲】
【請求項１】
ａ）表示器と、
ｂ）上記表示器に表示され、測定データ記録内の第１データ・セットに基づく第１視覚表現と、
ｃ）上記表示器に表示され、上記測定データ記録内の第２データ・セットに基づく第２視覚表現と、
ｄ）上記第１視覚表現に関連した第１視覚表現表示マーカと、
ｅ）上記第２視覚表現に関連した第２視覚表現表示マーカと、
ｆ）上記第１視覚表現表示マーカが上記第１視覚表現内で第１位置に配置され、上記第１位置に対応する上記測定データ記録内のデータが上記第２データ・セット内であるときに、上記第２視覚表現内の上記第２視覚表現表示マーカの表示を実行するマーカ相関器と
を具えた表示装置。
【請求項２】
ａ）測定データ記録内の第１データ・セットに基づいた第１視覚表現を表示器上に表示することと、
ｂ）上記測定データ記録内の第２データ・セットに基づいた第２視覚表現を表示器上に表示することと、
ｃ）上記第１視覚表現に関連した第１視覚表現表示マーカの位置を受けることと、
ｄ）上記第２視覚表現に関連した第２視覚表現表示マーカの相関位置を決定することとを具え、
ｅ）上記決定は、上記第１視覚表現表示マーカの上記位置に対応する上記測定記録内のデータを上記第２データ・セット内のデータと比較することと
を具える表示方法。
【請求項３】
ａ）表示器と、
ｂ）測定データ記録を蓄積するストレージ媒体と、
ｃ）上記表示器に表示され、スペクトログラムである第１視覚表現と、
ｄ）上記表示器に表示され、第１時間フレームに基づいた周波数領域視覚表現である第２視覚表現と、
ｅ）上記表示器に表示され、時間領域視覚表現である第３視覚表現と、
ｆ）第１視覚表現表示マーカが上記第１視覚表現内にて配置位置に配置されたとき、上記第２視覚表現内にて配置周波数にて第２視覚表現表示マーカの表示と、配置時間フレームに対応する第１時点にて上記第３視覚表現内に第３視覚表現表示マーカの表示とを実行するマーカ相関器と具え、
上記配置位置が上記配置周波数及び上記配置時間フレームを具えている表示装置。
【請求項４】
測定機器のデータを管理する方法であって、
ａ）マーカ識別子（ＩＤ）で識別され、第１データ・セットに関連した第１領域値及び第２データ・セットに関連した第２領域値を具えたマーカ定義を受けることと、
ｂ）第１データ・セットをアクセスすると共に、上記第１領域値に関連した第１範囲値を見つけることと、
ｃ）第２データ・セットをアクセスすると共に、上記第２領域値に関連した第２範囲値を見つけることと、
ｄ）上記マーカＩＤを介して上記第１範囲位置にアクセスを行うことと、
ｅ）上記マーカＩＤを介して上記第２範囲位置にアクセスを行うことと
を具えた方法。
【手続補正２】
【補正対象書類名】明細書
【補正対象項目名】全文
【補正方法】変更
【補正の内容】
【発明の詳細な説明】
【関連参照】
【０００１】
本願は、２００５年１１月４日に出願した米国仮特許出願第６０／７３４０１５号「グローバル複数領域相関マーカ」の利益を主張する。
【発明の分野】
【０００２】
本発明の実施例は、複数領域マーカ用の方法、システム及び装置を具える。
【背景】
【０００３】
複数の測定データ・セットを入力データに関連させて蓄積させてもよい。典型的な測定データ・セットは、周波数領域測定データ・セット、時間領域測定データ・セット、変調分析測定データ・セット、スペクトログラム測定データ・セット又はコードグラム測定データ・セットを含んでいる。
【概要】
【０００４】
本発明のいくつかの実施例は、測定表示装置上に複数の視覚表現での相関表示マーカを表示する方法、システム及び装置を具えている。
【０００５】
本発明のいくつかの実施例は、マーカ構成を具えており、このマーカ構成は、複数の領域属性を有してもよい。本発明のいくつかの実施例において、マーカ相関器がマーカ構成を用いて、マーカ表示を管理してもよい。
【０００６】
本発明の概念は、次のようなものである。
（１）ａ）表示器と；ｂ）上記表示器に表示され、測定データ記録内の第１データ・セットに基づく第１視覚表現と；ｃ）上記表示器に表示され、上記測定データ記録内の第２データ・セットに基づく第２視覚表現と；ｄ）上記第１視覚表現に関連した第１視覚表現表示マーカと；ｅ）上記第２視覚表現に関連した第２視覚表現表示マーカと；ｆ）上記第１視覚表現表示マーカが上記第１視覚表現内で第１位置に配置され、上記第１位置に対応する上記測定データ記録内のデータが上記第２データ・セット内であるときに、上記第２視覚表現内の上記第２視覚表現表示マーカの表示を実行するマーカ相関器とを具えた表示装置。
（２）複数の領域位置変数を有するマーカ構成を更に具える概念１の装置。
（３）上記測定データ記録用のストレージを更に具える概念１の装置。
（４）ａ）第１範囲指標及び第１領域指標を表示する第１視覚表現マーカ・リードアウトと；ｂ）第２範囲指標及び第２領域指標を表示する第２視覚表現マーカ・リードアウトとを更に具えた概念１の装置。
（５）上記第１位置に対応する上記第１データ・セット内の上記データが上記第２データ・セット内でないとき、マーカ無効指示が上記第２視覚表現内に表示される概念１の装置。
（６）上記第１視覚表現が第１領域内で、第２視覚表現が第２領域内である概念１の装置。
（７）上記第２視覚表現表示マーカが上記第１視覚表現内で第２位置に配置され、上記第２位置に対応する上記測定データ記録内の上記データが上記第１データ・セット内であるとき、上記マーカ相関器が上記第１視覚表現内の上記第１視覚表現表示マーカの表示を実行する概念１の装置。
（８）上記第１視覚表現表示マーカが上記第１視覚表現内の第１表示位置から上記第１視覚表現内の第２表示位置に移動し、上記第２表示位置に対応する上記測定データ記録内のデータが上記第２データ・セット内のとき、上記マーカ相関器が、上記第２視覚表現内の上記第２視覚表現表示マーカの相関表示を実行する概念１の装置。
（９）上記第２視覚表現表示マーカが上記第２視覚表現内の第１表示位置から上記第２視覚表現内の第２表示位置に移動し、上記第２表示位置に対応する上記測定データ記録内のデータが上記第１データ・セット内のとき、上記マーカ相関器が、上記第１視覚表現内の上記第１視覚表現表示マーカの相関表示を実行する概念１の装置。
（１０）ａ）測定データ記録内の第１データ・セットに基づいた第１視覚表現を表示器上に表示することと；ｂ）上記測定データ記録内の第２データ・セットに基づいた第２視覚表現を表示器上に表示することと；ｃ）上記第１視覚表現に関連した第１視覚表現表示マーカの位置を受けることと；ｄ）上記第２視覚表現に関連した第２視覚表現表示マーカの相関位置を決定することとを具え；ｅ）上記決定は、上記第１視覚表現表示マーカの上記位置に対応する上記測定記録内のデータを上記第２データ・セット内のデータと比較することとを具える表示方法。
（１１）複数の領域位置変数を具えるマーカ構成を更に具える概念１０の方法。
（１２）ａ）第１範囲指標及び第１領域指標を表示する第１視覚表現マーカ・リードアウトを表示することと；ｂ）第２範囲指標及び第２領域指標を表示する第２視覚表現マーカ・リードアウトを表示することとを更に具えた概念１０の装置。
（１３）上記第１位置に対応する上記第１データ・セット内の上記データが上記第２データ・セット内でないとき、マーカ無効指示が上記第２視覚表現内に表示される概念１０の方法。
（１４）上記第１視覚表現が第１領域内で、第２視覚表現が第２領域内である概念１０の方法。
（１５）ａ）上記第２視覚表現に関連した第２視覚表現表示マーカの位置を受けることと；ｂ）上記第１視覚表現に関連した第１視覚表現表示マーカの相関位置を決定することとを更に具え；ｃ）上記決定することは、上記第２視覚表現表示マーカの上記位置に対応する上記測定記録内の上記データを上記第１データ・セット内の上記データと比較することである概念１０の方法。
（１６）上記第１視覚表現表示マーカが上記第１視覚表現内の第１表示位置から上記第１視覚表現内の第２表示位置に移動し、上記第２表示位置に対応する上記測定データ記録内のデータが上記第２データ・セット内のとき、上記第２視覚表現内の上記第２視覚表現表示マーカの相関表示の位置を決定することを更に具える概念１０の方法。
（１７）上記第２視覚表現表示マーカが上記第２視覚表現内の第１表示位置から上記第２視覚表現内の第２表示位置に移動し、上記第２表示位置に対応する上記測定データ記録内のデータが上記第１データ・セット内のとき、上記マーカ相関器が、上記第１視覚表現内の上記第１視覚表現表示マーカの相関表示の位置を決定する概念１０の方法。
（１８）ａ）表示器と；ｂ）測定データ記録を蓄積するストレージ媒体と；ｃ）上記表示器に表示され、スペクトログラムである第１視覚表現と；ｄ）上記表示器に表示され、第１時間フレームに基づいた周波数領域視覚表現である第２視覚表現と；ｅ）上記表示器に表示され、時間領域視覚表現である第３視覚表現と；ｆ）第１視覚表現表示マーカが上記第１視覚表現内にて配置位置に配置されたとき、上記第２視覚表現内にて配置周波数にて第２視覚表現表示マーカの表示と、配置時間フレームに対応する第１時点にて上記第３視覚表現内に第３視覚表現表示マーカの表示とを実行するマーカ相関器と具え；上記配置位置が上記配置周波数及び上記配置時間フレームを具えている表示装置。
（１９）周波数変数及び時間変数を具えるマーカ構成を更に具える概念１８の装置。
（２０）ａ）第１範囲指標及び第１領域指標を表示する第１視覚表示マーカ・リードアウトと；ｂ）第２範囲指標及び第２領域指標を表示する第２視覚表示マーカ・リードアウトと；ｃ）第３範囲指標及び第３領域指標を表示する第３視覚表示マーカ・リードアウトとを更に具えた概念１８の装置。
（２１）上記第２視覚表現を上記配置時間フレームに対応するスライスとなるように更新することと、上記配置周波数にて上記更新された第２視覚表現に上記第２視覚表現マーカを表示することとと更に具えた概念１８の装置。
（２２）測定機器のデータを管理する方法であって；ａ）マーカ識別子（ＩＤ）で識別され、第１データ・セットに関連した第１領域値及び第２データ・セットに関連した第２領域値を具えたマーカ定義を受けることと；ｂ）第１データ・セットをアクセスすると共に、上記第１領域値に関連した第１範囲値を見つけることと；ｃ）第２データ・セットをアクセスすると共に、上記第２領域値に関連した第２範囲値を見つけることと；ｄ）上記マーカＩＤを介して上記第１範囲位置にアクセスを行うことと；ｅ）上記マーカＩＤを介して上記第２範囲位置にアクセスを行うこととを具えた方法。
（２３）ａ）新たな第１領域値を具えるユーザ入力を受けることと；ｂ）上記第１データ・セットをアクセスすると共に、上記新たな第１領域値に関連した新たな第１範囲値を見つけることと；ｃ）上記マーカＩＤにより上記新たな第１範囲値にアクセスを行うこととを更に具えた概念２２の方法。
【０００７】
添付図を参照した本発明の以下の詳細説明を考察することにより、本発明の上述及びその他の目的、特徴及び利点が一層容易に理解できよう。
【例示的実施例の詳細な説明】
【０００８】
添付図を参照することにより、本発明の実施例を最もよく理解できよう。なお、類似要素は、類似の番号で示す。添付図は、この詳細説明の一部に特に組み込まれている。
【０００９】
一般的に説明し図示したように、本発明の要素は、異なる構成の広い範囲にわたって配置でき設計できることが容易に理解できよう。よって、本発明の方法、システム及び装置の実施例に関する以下のより詳細な説明は、本発明の範囲を制限するものではなく、本発明の目下の好適実施例を単に示すものである。
【００１０】
本発明の実施例の要素は、ハードウェア、ファームウェア及び／又はソフトウェアで実現してもよい。ここに示す例示的実施例は、これら形式の１つのみで説明してもよいが、本発明の範囲内にてこれら形式の任意のものにてこれら要素を実現できることが当業者には理解できよう。
【００１１】
例えば、オシロスコープ、ロジック・アナライザ、スペクトラム・アナライザ又はコンピュータ・モニタの表示装置は、１つ以上のデータ記録について計算された測定に関する複数の視覚表現を表示してもよい。例示的な視覚表現は、周波数領域表現、時間呂行き視覚表現、変調分析視覚表現、スペクトログラム視覚表現、コードグラム視覚表現、及びその他の視覚表現を具えてもよい。
【００１２】
視覚表現は、１組の領域値及び対応する範囲値の波形トレース、グラフ、プロット、又は他の視覚表現でもよい。視覚表現に関連した測定データは、表示器、測定機器又はオフ測定機器のデータ・ストレージ・メディアに蓄積してもよく、これらは、常駐又は遠隔計算装置でもよい。スペクトログラムを具えた視覚表現にとって、視覚表現に関連した測定データは、各対の領域値用の範囲値を具えてもよく、一方の領域が時間であり、他方が周波数である。また、範囲値は、時間値により指示された時間スライス内の周波数値により指示された周波数での振幅を表す。
【００１３】
表示マーカを波形トレース又は他の視覚表現に沿って配置又は移動して、視覚表現のポイントを視覚的に識別してもよい。表示マーカを用いて、視覚表現上でマークされたポイントが表す領域値及び範囲値のリードアウトを抽出してもよい。機器又は表示器のユーザが、又は自動処理が、表示マーカを視覚表現上に配置してもよい。表示マーカが配置されたポイントが表す領域値及び範囲値のマーカ・リードアウトを装置の表示器に表示してもよい。ユーザ又は自動処理により、視覚表現に沿って表示マーカを引くか又は視覚表現に沿って移動させてもよい。マーカ・リードアウトは、表示マーカ変化の位置として更新してもよい。
【００１４】
例えば、図１に示す電圧対時間視覚表現において、位置１２における波形１０上に配置された表示マーカにより（５マイクロ秒（μsec）、５ボルト）のリードアウトとなり、位置１４における波形１０上に配置されたマーカは、（２μ秒、０ボルト）のリードアウトとなってもよい。
【００１５】
本発明のいくつかの実施例は、表示マーカに関連したマーカ構成を具えてもよい。図１に示す例では、表示マーカに関連したマーカ構成は、表示マーカが位置１２に表示されたときに、時間５マクロ秒に対応する時間領域値を含んでもよい。この時間領域値は、絶対時間基準でもよいし、又は、時間値に対応するインデックス値でもよい。表示マーカが位置１４にあると、マーカ構成は、時間値２マイクロ秒に対応する時間領域指標を含んでもよい。
【００１６】
本発明のいくつかの実施例において、表示マーカに関係なく、マーカ構成が存在してもよい。
【００１７】
マーカ構成は、各々が異なる領域に対応する複数の位置の値を具えてもよい。マーカ構成は、時間領域マーカ構成、周波数領域マーカ構成、又は複数領域マーカ構成でもよい。例示的な複数領域マーカ構成は、時間領域に対応する位置の値、及び周波数領域に対応する位置の値を具えてもよい。
【００１８】
複数領域マーカ構成は、複数領域における関心のある領域位置を示すための複数の位置の値を具えてもよい。本発明のいくつかの実施例において、複数のマーカ構成は、マーカ構成がサポートすべき複数領域の各々を明確に定義する必要があるかもしれない。本発明の別の実施例において、複数領域のマーカにて表示されない領域を有する測定データ・セットが表示又は処理のセッションでアクセスされると、複数領域のマーカ構成は、適応的に領域サポートを追加してもよい。例えば、時間領域視覚表現が初めから表示されると、複数領域のマーカ構成は、時間領域の属性を持つかもしれない。ユーザが、異なる領域、例えば、周波数領域にて他の測定を表示すると、複数領域のマーカ構成は、周波数領域の属性を追加してもよい。
【００１９】
マーカ表示処理又は他の処理が、領域及び範囲の値データを回収するために領域データを用いて、測定データをアクセスして、視覚表現上に表示マーカを表示するか、又はそのデータを使用又は処理する。別の実施例において、マーカ表示処理又は別の処理からの質問に応じて、マーカ構成は、測定データに直接的にアクセスし、要求された領域及び範囲の値データをマーカ表示処理又は他の処理に報告する。
【００２０】
なお別の実施例において、マーカ構成は、表示処理又は表示に関連しない別の処理に、処理からの質問がなく、領域及び範囲の値データを交付又はレポートするが、表示に関連しない別の処理は、計算処理、レポート処理、アーカイブ処理、取込み処理又は測定に基づく処理の如きものである。
【００２１】
複数の視覚表現が表示されると、第１視覚表現における表示マーカの位置は、相関位置での他の視覚表現内での表示マーカの表示となる。ユーザ又は自動制御処理のいずれかにより表示マーカに配置、移動、ドラッグ、又は他の操作が行われる視覚表現は、配置視覚表現と呼んでもよい。表示マーカが視覚表現内で操作されたときに、別の視覚表現が位置視覚表現になり、次に、他の視覚表現が別の視覚表現になる。本発明のいくつかの実施例において、ポインティング・デバイス、一連のキーボードの操作、又は他の入力装置を用いて、表示マーカを操作してもよい。
【００２２】
本発明のいくつかの実施例において、マーカ相関器を用いて、複数の視覚表現内の相関した表示マーカの表示を管理してもよい。表示マーカが移動したとき又は位置視覚表現内に配置されたときに、別の視覚表現内の相関した表示マーカの表示を管理してもよい。本発明のいくつかの実施例において、マーカ相関器は、表示マーカに関連したリードアウトを管理してもよい。マーカ相関器は、位置視覚表現又は別の視覚表現において、表示マーカの外見、例えば、色、サイズ、アイコンの形式、又は他の物理的表示属性を管理してもよい。
【００２３】
本発明のいくつかの実施例において、マーカ相関器は、ソフトウェア、ハードウェア、ファームウェア、又はソフトウェア、ハードウェア及びファームウェアの組合せにて実現してもよい。本発明のいくつかの実施例において、マーカ相関器は、単一の位置に物理的に常駐してもよいし又はその位置で実行されてもよいし、測定及び表示システム内のコンポーネントに沿って分布してもよい。
【００２４】
本発明のいくつかの実施例において、マーカ相関器は、複数の領域属性を伴う単一のマーカ構成を用いて、相関した表示マーカの表示を管理してもよい。
【００２５】
本発明のいくつかの実施例において、位置視覚表現を考慮して、第１視覚表現内の表示マーカの位置は、マーカ相関器の管理又は指示の下に、各視覚表現の下にあるデータが重なったときのみ、第２又は別の視覚表現内の対応相関表示マーカの表示となる。
【００２６】
図示の目的で、０ＭＨｚから４ＭＨｚの周波数範囲のデータ・サンプルの１０マイクロ秒から成り下にあるデータ記録に基づいた測定の２つの視覚表現を示す図２Ａを考察する。第１視覚表現２０において、データ記録内のデータの全体のセットに基づいて電圧対時間を示す。第２視覚表現２２において、パワー対周波数を示す。ここで、データ記録内の最初の１マイクロ秒のデータを用いて、パワー対周波数波形を作成する。
【００２７】
本発明のいくつかの実施例は、図２Ｂを参照して説明できる。これら実施例において、表示マーカが任意の周波数位置、例えば、第２視覚表現２２内の位置２４に配置されたとき、マーカ相関器は、第１視覚表現２０内の０マイクロ秒から１マイクロ秒の時間範囲内の任意の位置に表示される対応相関表示マーカを誘導してもよい。なお、この時間範囲は、第２視覚表現２２内の任意の周波数に対応する下のデータ範囲である。
【００２８】
この例において、表示マーカが視覚表現内で操作されるので、第２視覚表現２２を位置視覚表現と呼んでもよい。相関表示マーカを含んだ他の対応視覚表現を別の視覚表現と呼んでもよい。本発明のいくつかの実施例において、位置のインターバル又は範囲内の任意の位置にて相関表示マーカが表示されるとき、マーカ相関器が用いた配置規則に応じて、相関表示マーカを表示してもよい。この配置規則は、ディフォルトの規則、ユーザ／観察者が選択した規則、視覚表現の領域に基づいた規則、視覚表現の範囲に基づいた規則、又は他の好ましい又は適応する規則でもよい。本発明のいくつかの実施例において、この配置規則は、対応する相関表示マーカが第１視覚表現２０内の下側のデータ範囲の位置２５の下限に対応する位置にて、別の視覚表現２０に配置されるものであってもよい。別の実施例において、配置規則は、別の視覚表現２０内の表示マーカが、第１視覚表現２０内の下側のデータ範囲の位置２６の上限に対応する位置に配置するものであってもよい。さらに別の実施例において、配置規則は、マーカ相関器が、下側のデータ範囲の位置２７の中心値である別の視覚表現２０内の表示マーカの位置を指示するものであってもよい。
【００２９】
マーカ相関器が用いる表現の定義によれば、図２Ｃの位置２５で示すように、表示マーカは、決まった位置で単一のシンボル２８として現れてもよい。別の実施例において、マーカ相関器が用いるインターバル表現の定義は、図２Ｄに示すように、表示マーカが１対のシンボル２９、線、又は全体の範囲を定義する他の図形として現れてもよい。表現の定義は、ディフォルト定義、ユーザ／観察者が選択した定義、視覚表現の領域に基づいた定義、視覚表現の範囲に基づいた定義、又は任意の他の予め定めた又は適応的に定めた定義でもよい。
【００３０】
第２視覚表現２２内の周波数が対応するデータ記録内の下側のデータは、第１視覚表現２０内に示された０マイクロ秒から１マイクロ秒の時間データである。したがって、任意の位置での第２視覚表現２２内の表示マーカの配置又は操作により、後述の如く対応データ範囲内で任意の位置にて第１視覚表現２０内の対応し相関した表示マーカの表示又は移動となってもよい。
【００３１】
本発明のいくつかの実施例において、位置視覚表現内の表示マーカの移動は、別の視覚表現内の対応し相関する表示マーカの移動にはならなくてもよい。第２視覚表現２２内の表示マーカの動きは、例えば、図２Ａにおける第１視覚表現２０内の対応表示マーカの移動にならなくてもよい。これは、第２視覚表現２２内の任意の周波数が同じ下側の時間データに対応するためである。位置視覚表現の下側のデータが別の視覚表現の下側のデータと１対１で対応しないとき、位置視覚表現内の表示マーカの移動が別の視覚表現内の相関表示マーカの移動を要求せず、また、別の視覚表現内に現在表示されている表示マーカの位置が新たな配置位置により支持される。図２Ａの例において、第１視覚表現２０内の表示マーカが第２視覚表現２２用の下側のデータの範囲の外に移動するまで、第１視覚表現２０内の表示マーカの移動は、第２視覚表現２２内の対応マーカの移動とならなくてもよい。
【００３２】
本発明のいくつかの実施例において、表示マーカが複数の視覚表現内に表示され、且つ、別の視覚表現内で重なっていない下側のデータに対する位置視覚表現内の位置に表示マーカが移動すると、マーカ相関器は、別の視覚表現内の対応し相関した表示マーカの表示の除去を実行する。相関した表示マーカの除去は、マーカ相関器が用いた除去規則に応じて行ってもよい。除去規則は、ディフォルト規則、ユーザ／観察者の選択した規則、視覚表現の領域に基づく規則、視覚表現の範囲に基づく規則、又は任意の他の予め定めた又は適応する規則でもよい。除去規則は、別の表示内の表示マーカが表示されないようにするものでもよい。除去規則は、別の表示内の表示マーカを、除去規則に応じた別の態様、例えば、反転ビデオ、強調、別の色、又は別の形で表示してもよい。いくつかの実施例において、表示マーカの外見の変化又は除去に関してのメッセージ又は他の指示を表示してもよい。このメッセージ又は他の指示は、表示マーカ・リードアウトのエリア又は表示の他のエリア内でもよい。いくつかの実施例において、メッセージ又は他の指示の位置をマーカ相関器が制御してもよい。
【００３３】
図２Ａ〜図２Ｄに示した例において、第１視覚表現２０内で図２Ｅに示すように、表示マーカが位置２５から位置３０に移動すれば、第２視覚表現内の位置２４にあった相関表示マーカがもはや表示されなくなるか、又はその外観が変化する。これは、位置３０（７．５マイクロ秒）に対応する時間が、第２視覚表現２２が発生する下側のデータ内にないためである。表示マーカが、第１視覚表現２０内の位置３０から位置３１に移動すると、第２視覚表現２２内の対応し相関する表示マーカが第２視覚表現２２内に再び現れる。本発明のいくつかの実施例において、表示マーカが視覚表現内に再び現れるとき、表示マーカの最初の出現用の配置規則によって、例えば、上述の配置規則の任意のものによって、表示マーカがマーカ相関器の指示の下に配置されてもよいし、又は、別の実施例において、マーカ相関器の制御の下に、視覚表現内の最後の位置、この例では、第２視覚表現２２内の位置２４に表示マーカが現れてもよい。
【００３４】
本発明のいくつかの実施例において、マーカ相関器の制御下で、視覚表現内の表示マーカのその後の移動により、他の代わりの視覚表現における対応する相関した表示マーカの動きを対応させる。
【００３５】
本発明のいくつかの実施例において、マーカ相関器が複数の視覚表現内の複数の表示マーカを制御してもよい。ここで、視覚表現のいくつかは、同じ領域内である。これら実施例において、任意の視覚表現、位置視覚表現にて表示マーカを配置し又は操作してもよい。データ記録内の下側のデータの重なりに応じて、マーカ相関器が別の視覚表現の任意の対応相関表示マーカの表示を管理してもよい。
【００３６】
例えば、図３は、データ記録３４を示し、ここでは、４つの視覚表現が基本になっている。第１視覚表現は、データ記録３４の０マイクロ秒から１０マイクロ秒までの時間範囲内のデータ３５に基づく時間領域視覚表現でもよい。第２視覚表現は、データ記録３４の３０マイクロ秒から６０マイクロ秒までの時間範囲内のデータ３６に基づく時間領域視覚表現でもよい。第３視覚表現は、データ記録３４の０マイクロ秒から５０マイクロ秒までの時間範囲内のデータ３７に基づく時間領域視覚表現でもよい。第４視覚表現は、データ記録３４の０マイクロ秒から７０マイクロ秒までの時間範囲内のデータ３８に基づく時間領域視覚表現でもよい。
【００３７】
この例において、位置視覚表現と呼ばれる第１視覚表現内のどこかに表示マーカが配置されたり又は移動したりした場合、第１視覚表現用のデータ３５が第３及び第４視覚表現３７及び３８と夫々重なることにより、第３視覚表現及び第４視覚表現の如き別の視覚表現内でマーカ相関器が指示したように、対応する相関表示マーカを表示してもよい。配置視覚表現と呼ばれる第２視覚表現内のどこかに表示マーカが配置されたり又は移動したりした場合、第４視覚表現用のデータ３８が第２視覚表現３６と重なることにより、第３及び第４の別の視覚表現内でマーカ相関器が指示したように、対応する相関表示マーカを表示してもよい。しかし、第２視覚表現内の表示マーカが３０マイクロ秒及び５０マイクロ秒の範囲内に配置されたり移動されたりした場合、第３の別の視覚表現内に対応相関表示マーカを出現させてもよい。これは、この範囲において、下側のデータ範囲は、両方の視覚表現に共通のためである。
【００３８】
本発明のいくつかの実施例において、２つの視覚表現に関連した下側のデータ領域がバラバラになったときに、第２視覚表現内の表示マーカに対応する第１視覚表現内の表示マーカの表示をマーカ相関器が制限してもよい。図３に示す例の場合、第１視覚表現３５及び第２視覚表現３６に関連しバラバラになった下側のデータ領域のために、第１視覚表現内の表示マーカは、第２視覚表現内の対応相関表示マーカを表示しなくてもよい。いくつかの実施例において、下側のデータの重なりがないときの視覚表現内の表示マーカ用のリードアウトは、重なりがないことを指示してもよい。この指示は、リードアウト領域又は他の表示領域内でもよい。いくつかの実施例において、指示の視覚的表示の外観は、マーカ相関器が決めてもよい。いくつかの実施例において、指示が表示された領域は、マーカ相関器により決まる。
【００３９】
本発明のいくつかの実施例において、マーカ相関器は、複数の表示マーカを管理してもよい。これら複数の表示マーカは、第１領域を有する第１視覚表現での表示マーカ、第２領域を有する第２視覚表現での表示マーカ、第１領域に対応する軸と第２領域に対応する軸を有する第３視覚表現での表示マーカである。この例示的な場合は、時間領域視覚表現、周波数領域視覚表現、及びスペクトログラム視覚表現である。この例示的場合に関連してこれら実施例を説明するが、この例が限定されるものでないことに留意されたい。
【００４０】
図４Ａは、３つの視覚表現を示す。第１視覚表現４０は、ｘ軸４１上の周波数とｙ軸４２条の時間を示すスペクトログラム視覚表現である。スペクトログラムの各スライスは、時間領域データの１フレームから計算された単一の周波数スペクトルに対応する。例えば、ライン４３に沿ったスライスは、周波数領域視覚表現４５内に４７で示してもよく、５１及び５２により指示される時間の間の時間領域視覚表現５０にて示すデータの時間フレームに対応してもよい。表示マーカ４４をスペクトログラム４０内に配置すると、マーカ相関器の管理の下に、対応周波数における周波数スペクトル４７での周波数領域視覚表現４５内にて、対応相関表示マーカ４６が現れるかもしれない。時間領域視覚表現５０内で５１及び５２により指示する時間の間の任意の時点で、対応し相関した表示マーカ５３が現れるかもしれず、これらは、周波数領域視覚表現４５内に示す周波数スペクトル４７を下にする時間データの制限である。配置規則に従って、表示マーカ５３を配置してもよいので、表示マーカは、図２Ａ〜２Ｅに関連して上述したように、フレームの中心に配置されるか、又は、マーカ相関器が用いる配置規則に従って、値の範囲のある他の位置に配置される。
【００４１】
いくつかの実施例において、図４Ｂに示すように、表示マーカ４８が、周波数領域視覚表現４５内の示すスライス４７に対応するライン４３の外に表示マーカ４８が配置されると、配置視覚表現４０内の表示マーカ４８に対応する周波数にて周波数領域視覚表現４５内に、対応表示マーカ４９の表示をマーカ相関器が実行してもよい。いくつかの実施例において、マーカ相関器は、付随した指示をマーカ４９に導入してもよい。この指示は、例えば、反転ビデオ、強調、半透明、着色、テキスト表示、又は任意の他の視覚又はオーディオ指示である。表示マーカ４９に関連した時間属性は、この別の視覚表現である周波数視覚表現４５に対して一貫しない（即ち、スペクトログラム４０内の表示マーカにて下側の時間フレームは、周波数次元視覚表現４５にて表されるものではない）。いくつかの実施例において、付随する指示は、マーカ相関器が用いた規則又は定義により定義される。別の実施例において、マーカ相関器によれば、周波数領域視覚表現４５内に相関表示マーカが表示されないかもしれない。配置された表示マーカ４８が存在するスライス５７をサポートする５５及び５６の間の間隔の例において、マーカ相関器が用いる位置規則に従って、下側の時間データに対応する時間間隔に表示マーカ５４を配置してもよい。
【００４２】
別の実施例において、図４Ｃに示すように、周波数領域視覚表現４５内に示すスライスに対応するライン４３の外に表示マーカ４８が配置されると、マーカ相関器は、周波数領域視覚表現４５の更新に影響して、配置された表示マーカ４８が位置するスライス５７に対応するスペクトル５９を示す。マーカ相関器により、対応し相関した表示マーカを位置５８に配置してもよい。
【００４３】
いくつかの実施例において、周波数領域視覚表現４５内の表示マーカの移動により、マーカ相関器により管理されるように、別の視覚表現であるスペクトログラム４０内の対応相関表示マーカが、その位置にて、ライン５７の対応周波数に更新する。例えば、図４Ｄに示すように、周波数領域視覚表現４５内の位置５８から位置６３への表示マーカの移動により、別のスペクトログラム視覚表現４０内の対応相関表示マーカが位置４８から位置６６に移動する。スライスが生じる下側の時間データが変化しないので、別の時間領域視覚表現４０内の対応相関表示マーカが同じ位置５４に留まってもよい。
【００４４】
いくつかの実施例において、時間領域視覚表現５０での表示マーカの移動により、マーカ相関器を用い、別のスペクトログラム視覚表現４０内の対応相関マーカが対応時間位置に移動する。例えば、時間領域視覚表現５０における位置５４から位置６０への時間領域マーカの移動により、別のスペクトログラム視覚表現４０内の対応相関表示マーカが位置４８から位置６１に移動してもよい。いくつかの実施例において、マーカ相関器は、周波数領域視覚表現４５内で変化を起こさない作用をしてもよい。別の実施例において、スペクトログラム４０内のマーカの結果としての移動により、図４Ｅに示す如く、対応周波数位置での新たな波形６５上に表示された相関表示マーカ６４を伴うライン６２に対応する新たなスペクトル６５の周波数領域視覚表現４５内での表示をマーカ相関器が実行する。
【００４５】
本発明のいくつかの実施例において、マーカ構成は、複数領域の１つに夫々対応する複数の領域変数を有してもよい。領域変数を設定又は変化させる例示的な方法は、マーカ・インタフェース内のマーカ値テーブル内の関連したセルに値をタイプするユーザと、領域値を設定するソフトウェア処理と、表示マーカを視覚表現に又はその中で引っ張るユーザと、当業界で知られている任意の他の方法とを含む。マーカ値検索処理は、測定データ・セットにアクセスして、マーカ構成に蓄積された領域値に最も近い領域値を伴う測定データ・ポイントを見つけてもよい。マーカ値検索処理は、測定データ・セットにアクセスして、マーカ構成に蓄積された領域値に最も近い領域値に関係した範囲値を得てもよい。マーカ値検索処理は、値を必要とする任意の処理に、領域及び範囲の値をレポートするか又は渡す。例示的処理は、自動テスト・システムに用いる表示処理、リードアウト処理、外部処理、デバイス処理、又は当業者に既知の任意の他の処理を含んでもよい。マーカ値検索処理は、マーカ構成内に蓄積された適切な領域値を用いて、複数の測定データ・セット内の範囲値を検索してもよい。
【００４６】
本発明のいくつかの実施例において、機器上で活性化された総てのマーカは、複数領域のマーカ構成を用いて、マーカ相関器が管理し相関表示できるマーカである。別の実施例において、マーカは、複数領域のマーカ構成を用いて、マーカ相関器が管理し、別の視覚表現にて相関表示できるマーカとして特に指示してもよい。
【００４７】
本発明のいくつかの実施例において、複数のマーカが存在してもよく、各々は、測定装置が発生した総ての視覚表現の独立及び従属の軸領域の用の属性を有する。
【００４８】
図５を参照して、本発明のいくつかの実施例を説明できる。これら実施例は、第１データ・セット領域値７１及び第１データ・セット範囲値７２を具えてもよい第１データ・セット７０に関連してもよい。第１データ・セット７０は、１つ以上の領域値７１を１つ以上の対応する範囲値７２に関連させてもよい。測定データ・セットは、一連のメモリ位置、配列、データ・ファイル、データベース・ファイル又は任意の他のメモリ又はストレージ入力として存在してもよい。これら実施例は、第２データ・セット７４にも関連し、この第２データ・セット７４は、第２データ・セット領域値７５及び第２データ・セット範囲値７６を具えてもよい。第２データ・セット７４は、１つ以上の対応範囲値７６を伴う１つ以上の領域値７５に関連してもよい。
【００４９】
これら実施例のいくつかは、第１視覚表示８０を更に具えてもよく、この第１視覚表示は、第１視覚表現８１を具えてもよい。第１視覚表示８０は、また、第１視覚マーカ・アイコン８２及び第１視覚マーカ・リードアウト８３を具えてもよい。いくつかの実施例は、第２視覚表示８０も具えてもよく、この第２視覚表示は、第２視覚表現８１を具えてもよい。第２視覚表示８０は、第２視覚マーカ・アイコン８２及び第２視覚マーカ・リードアウト８３も具えてもよい。
【００５０】
本発明のいくつかの実施例は、マーカ値テーブル８９を具えてもよい。このテーブルは、領域値９０及び９１に関連した範囲値９２及び９３に沿ってマーカに割り当てられた領域値９０及び９１でもよい。マーカ値テーブルは、表示、蓄積データの形式又はいくつかの他の形式をとってもよく、その他の形式は、
第１データ・セット７０及び第２データ・セット７４の如き１つ以上のデータ・セットから対応範囲値９２及び９３に関連するマーカ領域値９０及び９１を示すものである。
【００５１】
これら実施例は、マーカ１の定義７８の如きマーカ定義を具えてもよい。マーカ定義は、第１領域値９４及び第２領域値９５の如き１つ以上の領域値を具えてもよい。これら領域値は、ユーザ入力又は自動化方法により設定してもよい。領域値入力は、両閾値の直接タイプ、図形ユーザ・インタフェース（ＧＵＩ）によるポインティング・デバイスを介しての入力、データ選択処理又は他の選択処理により自動化入力を具えてもよい。いくつかの実施例において、表示されたマーカ値テーブル８９は、領域又は範囲の値９０、９１、９２及び９３のユーザ入力を準備するものでもよい。いくつかの実施例において、視覚表示８０又は８４内の視覚マーカ・アイコン８２又は８６を操作することにより、ユーザは、値を入力してもよい。
【００５２】
これら実施例は、また、マーカの表示、出力、ストレージ、連携及び入力を管理するマーカ・マネージャー８８を具えてもよい。マーカ・マネージャー８８は、作成用の入力及びマーカ定義７８の変更を受信してもよい。マーカ・マネージャー８８は、データ・セット７０又は７４をアクセスしてもよく、また、マーカ定義７８内の領域又は範囲の値９４、９５に関連した任意の領域値７１、７５又は範囲値７２、７６を見つけてもよい。次に、これら値をマーカ値テーブル８９に蓄積及び／又は表示してもよい。
【００５３】
いくつかの実施例において、マーカ・マネージャー８８は、マーカ定義値９４を受信又は検出してもよいし、対応データ・セット７０内の関連値を見つけてもよい７３。つぎに、これら値は、視覚表示８０、表示されたマーカ値テーブル９０及び９２、表示されたマーカ・リードアウト８３又はいくつかの他の表示要素の如き視覚表示８０にて、表示してもよい。データ・セットを介して、マーカ定義値及びこれに関連した値を視覚マーカ・アイコン８２及び８６として表示してもよい。マーカ・マネージャー８８は、マーカ定義９４及び９５を蓄積し、他の処理に出力してもよい。
【００５４】
本発明のいくつかの実施例において、マーカ定義は、複数領域からの複数の値９４及び９５を具えてもよい。例えば、第１領域値９４は、時間領域を表してもよく、第２領域値９５は、周波数領域値を表してもよい。これら値９４及び９５は、マーカ定義のコンテキストの外で必然的に相関される必要がない。単なる相関は、マーカ定義自体でもよい。いくつかの実施例において、数学的関係又はいくつかの他の関係により、マーカ定義値を相関させてもよい。いくつかの実施例において、第２データ・セット７４は、第１データ・セット７０の変換なので、第１データ・セット７０からの１つのマーカ定義値９４は、第２データ・セット７４からの第２マーカ定義値９５に関連してもよい。
【００５５】
いくつかの実施例において、マーカ定義７８が作成されると、ユーザ入力によりマーカ定義値９４又は９５を変更してもよい。マーカ値テーブル８９への文字の直接入力であり表示されたマーカ・リードアウト８３、８７によって、又は、マーカ定義の変更用のいくつかの他のメカニズムによって、ユーザは、マーカ定義値９４、９５を変更してもよい。いくつかの実施例において、視覚マーカ・アイコン８２、８６の操作によって、マーカ定義値９４、９５を変更してもよい。これら実施例において、ＧＵＩシステムを介してポインティング・デバイスにより、ユーザが視覚マーカ・アイコン８２、８６を移動させてもよい。視覚データ表現８１、８５に沿ってマーカ・アイコン８２、８６をドラッグするので、ユーザがマーカ・アイコン８２、８６を配置した位置に対応する値に、マーカ定義値９４、９５を自動的に更新できる。
【００５６】
マーカ定義値９４、９５を変更するとき、マーカ・マネージャー８８は、関連したデータ・セット７０、７４をアクセスし、新たなマーカ定義値９４、９５に関連した任意の領域又は範囲を見つけてもよい。関連したデータ・セット７０内の値に直接的に対応しない値にマーカ定義値９４、９５を変更するとき、マーカ定義値９４、９５に最も近い値を用いて、関連した領域又は範囲の値を見つけてもよい。いくつかの実施例において、データ・セット７０、７４内の値を補間して、複数のデータ・ポイントの間の値を見積もってもよい。変更されたマーカ定義値９４、９５と関連した領域又は範囲の値７３、７７が見つかると、マーカ・マネージャー８８がこれら新たな値を他の処理に送ってもよい。新たなマーカ定義値９４、９５を表示処理に送って、視覚マーカ・アイコン８２、８６、視覚マーカ・リードアウト８３、８７、マーカ値テーブル８９又は他の視覚表現を更新してもよい。これら新たな値を蓄積し、及び／又は、他のモジュール、機器又は装置の如き非表示関連処理に送ってもよい。
【００５７】
本発明のいくつかの実施例において、マーカが測定結果と独立して存在してもよい。マーカは、独立した軸属性を有してもよいが、独立した軸属性を計算するためのデータを下にしないで従属的な軸値がなくなる。
【００５８】
上述の明細書に述べた例は、複数の視覚表現の下になったデータ・セットの間の測定データ記録内の種々の関係を示している。これら関係は、例を示すためである。下になったデータ・セットの関係に制限がない。例えば、下になったデータ・セットは、全体的なデータ記録又はデータ記録の任意の部分を具えてもよい。２つの下になったデータ・セットは、全体的に重なるか、部分的に重なるか、又はバラバラになってもよい。ある下になったデータ・セットは、他の下になったデータ・セット内に全体的に含まれてもよい。
【００５９】
上述の明細書での例は、説明目的のために特定領域内であり、かかる領域の利用が別の領域を除外する
ことを意図したものではない。視覚表現の数には制限がない。複数の視覚表現内の領域の数、混合又は分布に制限はない。上述の明細所内の例における視覚表現の任意の数、領域の数、領域の混合、又は領域の分布は説明のためのみであり、これらの例が別の組合せを除外することを意図するものではない。
【００６０】
上述の明細書内で用いた用語及び説明は、説明のためであり、限定するものではない。また、かかる用語及び説明が、図示し説明した特徴又はその一部との均等を除外する意図もない。本発明の範囲は、特許請求の範囲のみによって定義され限定されることが理解できよう。
【図面の簡単な説明】
【００６１】
【図１】図１は、波形及び複数のマーカ位置を示す図である。
【図２Ａ】図２Ａは、２つの視覚表現である時間領域視覚表現及び周波数領域視覚表現を示す図である。
【図２Ｂ】図２Ｂは、本発明の実施例を示す図であり、周波数領域視覚表現内のマーカを時間領域視覚表現内の任意の位置に配置でき、時間データは、周波数スペクトルの計算に応じたものである。
【図２Ｃ】図２Ｃは、本発明の実施例を示す図であり、マーカが単一のシンボルである。
【図２Ｄ】図２Ｄは、本発明の実施例を示す図であり、マーカが１対のシンボルである。
【図２Ｅ】図２Ｅは、本発明の実施例を示す図であり、１つのしかくひょうげん内のマーカ位置が代わりの視覚表現内の対応マーカ位置を有さないかもしれない。
【図３】図３は、複数の視覚表現を維持するデータ記録内のデータに応じた図である。
【図４Ａ】図４Ａは、周波数領域視覚表現、時間領域視覚表現及びスペクトログラム視覚表現を具えた本発明の実施例を示す図である。
【図４Ｂ】図４Ｂは、スペクトログラム視覚表現内のマーカ周波数配置のみに基づく周波数領域視覚表現内のマーカ位置を更新することを具える本発明の実施例を示す図である。
【図４Ｃ】図４Ｃは、スペクトログラム視覚表現内のマーカ周波数配置に基づく周波数領域視覚表現内のマーカ位置及び周波数領域視覚表現を更新することを具える本発明の実施例を示す図である。
【図４Ｄ】図４Ｄは、スペクトログラム視覚表現内のマーカ配置に基づく周波数領域視覚表現内のマーカ配置を具えた本発明の実施例を示す図である。
【図４Ｅ】図４Ｅは、時間領域視覚表現内のマーカ配置に基づくスペクトログラム視覚表現内のマーカ配置を具えた本発明の実施例を示す図である。
【図５】図５は、マーカ・マネージメントを具えた本発明の実施例を示す図である。
【国際調査報告】
2009515199.tif 000016